(57)【要約】      （修正有）【課題】把持の際に毛髪等やぬめりが指に触れにくく、清掃性を向上させることが可能な目皿の提供を課題とする。【解決手段】目皿１０は、毛髪等を捕集する第一捕集部１２と第二捕集部１３の２つの捕集部から成る捕集部１１と、各捕集部１１を連結する軸部１８から構成されており、軸部１８は使用者が把持する把持部２１を有している。把持部２１は平面視略扁平であって、その縁部より、外側に向けて突出する凸部２２が形成されている。又、把持部２１は短辺側の側面２０にのみリブ１５が連結されている。【選択図】図１
2020016100.tif 000002
【特許請求の範囲】
【請求項１】
排水流路に配置される目皿であって、
毛髪等を捕集するリブ、及び排水を通過させる通水孔より成る捕集部と、
捕集部より上方に突設された把持部を備え、
上記把持部は平面視略扁平であって、
短辺側の側面にのみリブが連結されていることを特徴とする目皿。
【請求項２】
把持部は平面視非真円形であることを特徴とする請求項１に記載の目皿。
【請求項３】
把持部は平面視略長方形であることを特徴とする請求項１又は請求項２に記載の目皿。
【請求項４】
把持部は平面視略楕円又は長円形であることを特徴とする請求項１又は請求項２に記載の目皿。
【請求項５】
上記把持部は、長辺から外側に向けて突出する凸部が形成されていることを特徴とする請求項１乃至請求項４のいずれか１つに記載の目皿。
【請求項６】
上記目皿の金型構造において、
捕集部上面側と把持部上面側を形成する第一金型と、
目皿下端から捕集部を貫通し、把持部長辺の側面を形成するコア部を有する第二金型を備えることを特徴とする請求項１乃至請求項５のいずれか１つに記載の目皿の金型構造。
【発明の詳細な説明】
【技術分野】
【０００１】
本発明は、洗面台や浴室、流し台等の排水口に取り付けられて、毛髪や厨芥等を捕集する目皿に関するものである。
【背景技術】
【０００２】
図１１に示す従来の目皿は、捕集部と軸部、及び把持部から構成されている。
捕集部は、排水口から流入する毛髪や厨芥等（以下、「毛髪等」）を捕集する第一捕集部と、槽体の側面に形成されたオーバーフロー口から流入する毛髪等を捕集する第二捕集部から構成されており、それぞれの捕集部は毛髪等を捕集するリブと、排水を下流側へと排出する通水孔を有している。リブは目皿の中心より放射状に形成されており、当該リブ間に通水孔が形成されている。通水孔は上流側からの排水は通過させるが、毛髪等は通過しない程度の大きさの開口である。
軸部は目皿の中心において天地方向に延設された筒状部であり、上記第一捕集部と第二捕集部を連結する。又、軸部は、第一捕集部よりも上方に向けて突設され、把持部を形成している。
把持部は捕集部の中心より上方に向けて突設された平面視略円形の筒体であり、その上端から外側に向けて凸部が突出し、滑り止めが形成されている。尚、把持部は全周に亘り上記リブが連結されている。
【０００３】
上記目皿の清掃を行う際、使用者は把持部を把持することで目皿を取り外す。この時、把持部に形成された凸部が使用者の指に食い込むことで滑り止めとして機能し、容易に着脱を行うことが可能となる。
【先行技術文献】
【特許文献】
【０００４】
【特許文献１】特開２００４−１１６２２８号公報
【発明の概要】
【発明が解決しようとする課題】
【０００５】
目皿に形成されたリブは捕集部を構成し、毛髪等を捕集するものであるから、当該リブの上方には毛髪等やぬめりが堆積しやすい。ここで、上記従来の目皿は、把持部の全周に亘りリブが連結されていることから、把持部の周囲に上記毛髪等やぬめりが堆積する。従って、使用者が目皿の着脱を行う際、当該毛髪等やぬめりが目皿を把持する指に触れ易く、不快且つ不衛生であるという問題を有していた。又、把持部の全周に亘って毛髪等やぬめりが堆積することから、清掃が煩雑であった。
【０００６】
又、上記従来の目皿は凸部を形成するために、複数部材を組み合わせることによって把持部を構成しており、凸部によって把持が容易になる代わりに部材点数が増加するという問題を有していた。
【０００７】
本発明は上記問題に鑑み、把持の際に毛髪等やぬめりが指に触れにくく、清掃性を向上させることや、部材点数を削減することが可能な目皿の提供を課題とする。
【課題を解決するための手段】
【０００８】
上記課題を解決するための請求項１に記載の本発明は、排水流路に配置される目皿であって、
毛髪等を捕集するリブ、及び排水を通過させる通水孔より成る捕集部と、
捕集部より上方に突設された把持部を備え、
上記把持部は平面視略扁平であって、
短辺側の側面にのみリブが連結されていることを特徴とする目皿である。
【０００９】
請求項２に記載の本発明は、把持部は非真円形であることを特徴とする請求項１に記載の目皿である。
【００１０】
請求項３に記載の本発明は、把持部は平面視略長方形であることを特徴とする請求項１又は請求項２に記載の目皿である。
【００１１】
請求項４に記載の本発明は、把持部は平面視略楕円又は長円形であることを特徴とする請求項１又は請求項２に記載の目皿である。
【００１２】
請求項５に記載の本発明は、上記把持部は、長辺から外側に向けて突出する凸部が形成されていることを特徴とする請求項１乃至請求項４のいずれか１つに記載の目皿である。
【００１３】
請求項６に記載の本発明は、上記目皿の金型構造において、
捕集部上面側と把持部上面側を形成する第一金型と、
目皿下端から捕集部を貫通し、把持部長辺の側面を形成するコア部を有する第二金型を備えることを特徴とする請求項１乃至請求項５のいずれか１つに記載の目皿の金型構造である。
【発明の効果】
【００１４】
請求項１乃至請求項４に記載の本発明によれば、短辺側の側面にのみリブが連結されていることから、目皿を把持する際に、使用者の指に毛髪等やぬめりが触れにくく、衛生的である。又、毛髪等やぬめりが堆積し難いことから、清掃性を向上させることができる。
請求項５に記載の本発明によれば、凸部によって滑り止めが形成されるため、例え把持部にぬめりが付着していたとしても、容易に目皿の着脱を行うことが可能となる。
請求項６に記載の本発明によれば、部材点数を削減することが可能となる。
【図面の簡単な説明】
【００１５】
【図１】本発明の目皿を示す斜視図である。
【図２】本発明の目皿を示す断面斜視図である。
【図３】目皿の（ａ）平面図（ｂ）底面図である。
【図４】図３のＡ−Ａ断面図である。
【図５】図３のＢ−Ｂ断面図である。
【図６】使用者が本発明の目皿を把持した状態を示す参考図である。
【図７】本発明の金型構造を示す断面図である。
【図８】本発明の施工状態を示す断面図である。
【図９】第二実施形態に係る目皿の（ａ）平面図（ｂ）底面図である。
【図１０】第三実施形態に係る目皿の（ａ）平面図（ｂ）底面図である。
【図１１】従来の目皿を示す断面図である。
【発明を実施するための形態】
【００１６】
以下、図面を参照しながら本発明の目皿を説明する。尚、以下に記載する発明は実施形態の理解を容易にするためのものであり、これによって発明が制限して理解されるものではない。又、図８に示すように、本実施形態に係る目皿１０は、槽体Ｂ底面に形成された排水口２に取り付けられる。
【００１７】
槽体Ｂは洗面台のキャビネット上に載置されたボウルであり、底面及び側面に開口が形成されている。又、底面の開口には排水栓１が取り付けられており、側面の開口にはオーバーフロー排水栓５が取り付けられている。
排水栓１は内部に排水口２を形成する中空の筒状体であって、上端にフランジを有するとともに、内部に段部が形成されており、当該段部に後述する目皿１０が載置されている。又、排水栓１は槽体Ｂ下方に配置されたオーバーフローアダプター３を介してナット部材と螺合されおり、筒状部分側面に形成された開口よりオーバーフローアダプター３からの排水が合流する。上記排水栓１は下流側において排水トラップ４が接続されており、当該排水トラップ４を通じて排水口２から流入した排水を下水側へと排出する。
オーバーフローアダプター３は円筒部が排水栓１の外周に配置されるとともに、オーバーフロー口６からの排水流路が連結するための枝管部が外側に向けて突設されている。
オーバーフロー排水栓５は内部にオーバーフロー口６を形成する中空の筒状体であり、槽体Ｂの裏面においてエルボ部材７と螺合されている。エルボ部材７は上記オーバーフローアダプター３と可撓管によって連結されており、オーバーフロー口６から流入した溢れ水はオーバーフロー排水栓５、エルボ部材７、可撓管を介して枝管部よりオーバーフローアダプター３へと流れる。そして、オーバーフローアダプター３に流入した排水は、排水栓１の側面に形成された開口を通じて排水栓１内の排水流路に合流する。
【００１８】
目皿１０は図１乃至図６に示すように、毛髪等を捕集する２つの捕集部１１と、各捕集部１１を連結する軸部１８から構成されており、軸部１８は使用者が把持する把持部２１を有している。
【００１９】
捕集部１１は、排水口２から流入する排水中の毛髪等を捕集する第一捕集部１２、オーバーフロー口６から流入する排水中の毛髪等を捕集する第二捕集部１３から成り、第一捕集部１２と第二捕集部１３は軸部１８によって連結されている。尚、第一捕集部１２は目皿１０の上方側に配置されるとともに、第二捕集部１３は目皿１０の下端に配置されている。尚、捕集部１１は、第一捕集部１２の方が第二捕集部１３に比べてやや大径である点、第一捕集部１２は断面視略すり鉢状であって中央に向かうにつれて下方に傾斜するのに対し、第二捕集部１３は断面視平板状である。
第一捕集部１２は、縁部１４、リブ１５、及び通水孔１６を備えている。
縁部１４は捕集部１１の外周に形成された円環状部分であり、第一捕集部１２の縁部１４は排水栓１に形成された段部に載置されている。
リブ１５は上記縁部１４と後述する軸部１８を連結するように複数本形成されており、縁部１４と軸部１８との間に形成された環状のリブ１５ａと、捕集部１１の中心を中心軸として放射状に形成された直線状のリブ１５ｂから成る。尚、各リブ１５の間には通水孔１６が形成されている。環状のリブ１５ａは軸部１８の周囲と、縁部１４と軸部１８との中間位置において２箇所形成されており、内側に形成されたリブ１５ａは軸部１８及び把持部２１の短辺側の側面２０にのみ連結している。このため、軸部１８の長辺側の側面１９には、目皿１０を上下に貫通する連通孔１７が形成されている。
第二捕集部１３は上記第一捕集部１２と同様に、縁部１４、リブ１５、及び通水孔１６を備え、リブ１５は環状のリブ１５ａと直線状のリブ１５ｂから成る。ここで、第二捕集部１３においても、リブ１５は軸部１８の短辺側の側面２０にのみ連結されており、軸部１８の長辺側の側面１９には、目皿１０を上下に貫通する連通孔１７が形成されている。尚、図２乃至図５に示すように、第一捕集部１２に形成された連通孔１７と、第二捕集部１３に形成された連通孔１７は平面視において同じ位置に開口されている。
【００２０】
軸部１８は目皿１０の中心から上下方向に延設され、上記第一捕集部１２と第二捕集部１３を連結し、図３に示すように平面視及び底面視略扁平且つ矩形状を成し、長辺側の側面１９と短辺側の側面２０より構成されている。又、軸部１８は第一捕集部１２よりも上方に突設されており、当該突設部分において把持部２１を構成している。
把持部２１は軸部１８と同様に平面視及び底面視略扁平且つ矩形状を成している。又、把持部２１は長辺側の側面１９の縁部より、外側に向けて突出する凸部２２が形成されている。凸部２２は把持部２１の長辺側の側面１９において、上辺及び両辺が突出することによって略コの字状に形成されており、使用者が把持部２１を把持した際に滑り止めとして機能する。尚、図１及び図２に示すように、凸部２２は把持部２１にのみ形成されており、第一捕集部２２より下方には形成されていない。
従って、第一捕集部２２より下方の軸部１８には凸部２２等の凹凸が形成されておらず、把持部２１の長辺側の側面１９は第一捕集部２２よりも下方の軸部１８の長辺側の側面１９と段差無く連続している。
【００２１】
上記目皿１０は排水栓１に載置された状態において、第一捕集部１２は排水栓１上端近傍に位置し、排水口２から流入する排水中の毛髪等を捕集する。一方、第二捕集部１３はオーバーフロー口６から流入する排水が排水栓１内の排水流路に合流する箇所よりも下方に配置される。これにより、当該オーバーフロー口６からの排水中の毛髪等は第二捕集部１３によって捕集することが可能となる。
【００２２】
上記本発明の目皿１０を着脱する際、図６に示すように、使用者は把持部２１の長辺側の側面１９を把持する。ここで、上述のように、目皿１０の軸部１８及び把持部２１はその短辺側の側面２０にのみリブ１５が連結されており、使用者の指が配置される長辺側の側面１９下方にはリブ１５が形成されていない。又、前述のように、把持部２１の長辺側の側面１９と第一捕集部２２よりも下方の軸部１８の長辺側の側面１９は連続していると共に、把持部２１の周縁部分に設けた凸部２２以外には、軸部１８には凹凸は形成されていない。これにより、使用者の指が当接する箇所には毛髪等やぬめりが堆積せず、下方に流れていくことから、目皿１０の着脱時に指が毛髪等やぬめりに当接しにくく、使用時の不快感を低減するとともに、衛生的である。又、当該把持部２１の長辺側の側面１９に形成された凸部２２は把持時に滑り止めの効果を成し、例え把持部２１にぬめりがついていたとしても容易に把持することが可能となる。
【００２３】
次に、本発明の目皿１０の金型構造について説明する。本発明の目皿１０はインジェクション成形によって成形され、当該成形に使用される金型は、図７に示すように、第一捕集部１２上面側と把持部２１の上面側を形成する第一金型１００と、目皿１０下端から第一捕集部１２及び第二捕集部１３を貫通し、把持部２１長辺側の側面１９を形成するコア部１０２を有する第二金型１０１と、目皿１０の側面側を形成するスライドコア１０３から構成されている。
【００２４】
上記各金型を組み合わせた際、各金型同士の間には目皿１０が成形されるためのキャビティ１０４が形成される。ここで、目皿１０の把持部２１には外側に向けて凸部２２が形成されていることから、凸部２２の下方は所謂アンダーカット形状となり、第一金型１００によって把持部２１の長辺側の側面１９を成形することはできない。又、第一捕集部１２は断面視略すり鉢状を成しており、中央に向かうにつれて下方に傾斜する構造となっていることから、スライドコア１０３によって把持部２１の長辺側の側面１９を形成することはできない。そこで、本発明においては捕集部１１のリブ１５が軸部１８及び把持部２１の短辺側の側面２０にのみ連結されていることによって軸部１８及び把持部２１の長辺側の側面１９に連通孔１７を形成している。これにより、第二金型１０１のコア部１０２を目皿１０下端より上方に向けて延設することが可能となり、目皿１０を一体に成形することが可能となる。
【００２５】
本発明は上記実施形態の形状に限られるものではなく、発明の要旨を逸脱しない範囲において種々の形状変更を行っても良いものである。即ち、本発明の目皿は平面視非真円であれば良い。従って、図９に示すように、軸部１８の長辺側の側面１９及び短辺側の側面２０が共に弧状を成す平面視及び底面視略扁平且つ楕円状を成しても良く、図１０に示すように、軸部１８の長辺側の側面１９が直線状且つ短辺側の側面２０が弧状を成す平面視及び底面視略扁平且つ長円状を成しても良い。このように構成することにより、軸部１８の清掃性を向上させることが可能となる。
又、上記第一実施形態において、捕集部１１は第一捕集部１２及び第二捕集部１３の２つの捕集部から成り、当該第一捕集部１２と第二捕集部１３が軸部１８によって連結されている構造であったが、１つの捕集部１１のみから構成されていても良い。又、当該目皿１０は軸部１８を有さず、捕集部１１の上面から上方に向けて把持部２１が突設されている。
又、上記実施形態において、目皿１０は洗面台に使用される槽体Ｂの排水口２に取り付けられていたが、浴槽や浴室の排水口や、流し台の排水口に取り付けられても良い。これらの場合は、上記した１つの捕集部１１のみから成る目皿でも良い。
又、上記実施形態において、目皿１０は一部材から成るものであったが、複数部材を組み合わせて構成しても良い。
又、本発明の目皿１０は、槽体の排水口を遠隔的に操作する排水栓装置に取り付けられても良い。
又、把持部２１に形成された凸部２２は、把持部２１の片側からのみ突出していても良い。
【符号の説明】
【００２６】
Ｂ            槽体
１            排水栓
２            排水口
３            オーバーフローアダプター
４            排水トラップ
５            オーバーフロー排水栓
６            オーバーフロー口
７            エルボ部材
１０          目皿
１１          捕集部
１２          第一捕集部
１３          第二捕集部
１４          縁部
１５          リブ
１５ａ      リブ
１５ｂ      リブ
１６          通水孔
１７          連通孔
１８          軸部
１９          長辺側の側面
２０          短辺側の側面
２１          把持部
２２          凸部
１００        第一金型
１０１        第二金型
１０２        コア部
１０３        スライドコア
１０４        キャビティ
【図１】
2020016100.tif 000003
【図２】
2020016100.tif 000004
【図３】
2020016100.tif 000005
【図４】
2020016100.tif 000006
【図５】
2020016100.tif 000007
【図６】
2020016100.tif 000008
【図７】
2020016100.tif 000009
【図８】
2020016100.tif 000010
【図９】
2020016100.tif 000011
【図１０】
2020016100.tif 000012
【図１１】
2020016100.tif 000013